(57)【要約】【課題】複数のドレン水受けを設置したショーケースにおいて、全てのドレン水受けにそれぞれ水位センサを設けた場合でも、ショーケースコントローラへの入力用のコネクターが１つで足り、コスト低減を図ることのできるショーケースを得る。【解決手段】複数のドレン水受けと、ドレン水受け内のドレン水の水位を検出する水位センサ２０ａ…と、この水位センサ２０ａ…からの出力でドレン水受けの受水状態を検出して水位が所定値以上になったときに報知するよう制御する制御装置とを設けたショーケースにおいて、前記水位センサ２０ａ…は、複数のドレン水受け毎に設け、各水位センサ２０ａ…からの出力はＯＲ回路を介して制御装置の入力部に入力し、複数のドレン水受けのいずれかが報知開始水位に達すれば報知開始する。【選択図】        図１
2007333286.tif 000002
【特許請求の範囲】
【請求項１】
複数のドレン水受けと、ドレン水受け内のドレン水の水位を検出する水位センサと、この水位センサからの出力でドレン水受けの受水状態を検出して水位が所定値以上になったときに報知するよう制御する制御装置とを設けたショーケースにおいて、前記水位センサは、複数のドレン水受け毎に設け、各水位センサからの出力はＯＲ回路を介して制御装置の入力部に入力し、複数のドレン水受けのいずれかが報知開始水位に達すれば報知開始することを特徴とするショーケース。
【請求項２】
前記複数のドレン水受けのいずれかが報知開始水位に達したと判断されたときは、他の全てのドレン水受けについても報知水位に達したものと判定することを特徴とする請求項１記載のショーケース。
【請求項３】
複数のドレン水受けと、ドレン水受けのドレン水の水位を検出する水位センサと、この水位センサからの出力でドレン水受けの受け水状態を検出して水位が所定値以上になったときに報知するよう制御する制御装置とを設けたショーケースにおいて、前記水位センサは複数のドレン水受け毎に設け、各水位センサからの出力信号を同一の信号線に送り、いずれかの水位センサから出力信号が制御装置に送られている間は他の水位検知装置からの出力を待機させることを特徴とするショーケース。
【請求項４】
複数のドレン水受けと、ドレン水受け内のドレン水の水位を検出する水位センサと、この水位センサからの出力でドレン水受けの受水状態を検出して水位が所定値以上になったときに報知するよう制御する制御装置とを設けたショーケースにおいて、前記ドレン水受けが２個の場合、ドレン水受け同士の近接する壁面の近傍に前記水位センサを配設することを特徴とするショーケース。
【請求項５】
前記ドレン水受けが横一列に３個以上並列した場合、中央に位置するドレン水受けの上方中央付近に前記水位センサを配設することを特徴とするショーケース。
【請求項６】
前記複数のドレン水受けを水位を均衡させるための流路で連結し、前記水位センサで複数のドレン水受けのドレン水総量を検出することを特徴とする請求項４または請求項５に記載のショーケース。
【発明の詳細な説明】
【技術分野】
【０００１】
本発明は、例えばドレン水を検知する水位センサを備えたショーケースに関するものである。
【背景技術】
【０００２】
スーパーマーケットなどの店舗に設置されるオープンタイプの縦型冷凍冷蔵ショーケースは、図７に示すようにショーケース本体の下部に形成される機械室３内に凝縮器２や圧縮機（図示せず）などにより構成される冷凍装置を配設し、ショーケース本体の背面側に設置した冷却器で冷却した冷気で商品収納庫１内に収納した商品を冷却するもので、冷気は循環される。図中５は凝縮器用の送風ファン、６は蒸発板、７はショーケースコントローラ、８はドレン水の満水警報ランプを示す。
【０００３】
冷気は前記のように庫内の空気が循環されるものであるが、商品収納庫１の前面が商品の出入口として開放されているため、ここから暖かい外気が流入し、これに含まれる湿気が冷却器で結露し霜となる。
【０００４】
そして、この着霜により冷却器の能力が低下することを防ぐため、適宜除霜するが、除霜された水分がドレン水として発生する。
【０００５】
このドレン水は、通常は排水用のパイプが接続されてこのパイプで店舗外の排水溝に導かれるが、パイプが固定されるとこの配管によってショーケースの設置位置が固定される。そこで、移動が容易なように圧縮機が組み込まれているショーケースでは、移動性が損なわれないようドレン水もショーケース内に設置したドレンタンクやドレンパンなどのドレン水受け４に貯留している。
【０００６】
このようにドレン水受け４にドレン水を溜める場合、定期的に排水する必要が生じるが、ドレン水の発生量は天候や、ショーケースのサイズや温度帯、庫内に収納している商品の量などによって左右される。
【０００７】
このため、ドレン水の貯留量を把握して溢水する前に排水する必要があり、超音波センサなどを水位センサ２０としてドレン水受け４に設けて貯留量を検出しているが、図３に示すようにショーケースが横長で大型の場合は、ドレン水受け４も複数が横方向に並列され、水位センサ２０も各ドレン水受け４ごとに設けられることになる。
【０００８】
前記従来技術は、当業者間で一般に行われているものであり、文献公知発明にかかるものではない。
【発明の開示】
【発明が解決しようとする課題】
【０００９】
水位センサからの検知信号はショーケースコントローラに入力されて水位が算出されるが、複数全てのドレン水受けごとに水位センサを設けると、ショーケースコントローラ側にも水位センサの数（すなわちドレン水受けの数）だけの入力用のコネクターを用意しておく必要があり、かかる構造のショーケースコントローラが必要になる。
【００１０】
ところが、現実には複数のドレン水受けが設置される機種のショーケースは少なく、単数のドレン水受けが設置されるタイプのショーケースがほとんどである。一方、ショーケースコントローラは同一タイプのものがほとんどの機種に共通して使用されるため、ドレン水受けが単数しか設置されないほとんどのショーケースに対しても、複数のドレン水受けが設置されるショーケースに対応できるショーケースコントローラが組み込まれることになり、コスト的に無駄がある。
【００１１】
本発明の目的は前記従来例の不都合を解消し、複数のドレン水受けを設置したショーケースにおいて、全てのドレン水受けにそれぞれ水位センサを設けた場合でも、ショーケースコントローラへの入力部は１つの水位センサ分だけのもので複数全てのドレン水受けの満水を管理でき、入力用のコネクターが１つのタイプのショーケースコントローラで水位センサが単数、複数のいずれのタイプのショーケースにも使用可能で、コスト低減を図ることのできるショーケースを提供することにある。
【課題を解決するための手段】
【００１２】
本発明は前記目的を達成するため、請求項１記載の発明は、複数のドレン水受けと、ドレン水受け内のドレン水の水位を検出する水位検知装置と、この水位検知装置からの出力でドレン水受けの受水状態を検出して水位が所定値以上になったときに報知するよう制御する制御装置とを設けたショーケースのドレン水検知方法において、前記水位検知装置は複数のドレン水受け毎に設け、各水位検知装置からの出力はＯＲ回路を介して制御装置の入力部に入力し、複数のドレン水受けのいずれかが報知開始水位に達すれば報知開始することを特徴とするものである。
【発明の効果】
【００１３】
以上述べたように本発明のショーケースのドレン水検知方法は、水位検知装置を複数のドレン水受け毎に設ける場合であっても、各水位検知装置からの出力はＯＲ回路を介して制御装置に入力されるから、常に１つの水位検知装置からの出力しか制御装置に入力されない。よって、制御装置すなわちショーケースコントローラに設ける入力用のコネクターは１つで足り、ショーケースコントローラのコストを抑えることができる。
【発明を実施するための最良の形態】
【００１４】
以下、図面について本発明の実施形態を詳細に説明する。図１は本発明のショーケースのドレン水検知方法の第１実施形態を示す検知回路図で、本発明方法が実施されるショーケースの全体構成は図７について説明した従来例と同様であるからここでの詳細な説明は省略する。
【００１５】
また、本発明の第１実施形態が実施されるショーケースは、図３に示すように複数のドレン水受け４ａ、４ｂ、４ｃが並列に設置され、各ドレン水受け４ａ、４ｂ、４ｃごとに水位センサ２０ａ、２０ｂ、２０ｃが設置されている。図中１９はショーケースの庫内底部、１８は商品の陳列棚を示す。
【００１６】
水位センサ２０ａ、２０ｂ、２０ｃは例えば超音波式のものとし、図１に示すように超音波素子１０を制御する超音波発信回路１１と超音波受信回路１２とが制御部９に接続され、超音波発信回路１１からの出力で超音波素子１０から発信された超音波が水面に反射して超音波素子１０に戻り超音波受信回路１２で検出されるまでの時間が制御部９で距離の数値として算出され、この距離数値がＤＡ変換回路１３を介してショーケースコントローラ７のコンパレータ１４に出力される。
【００１７】
この場合、例えば水位センサ２０ａの制御部９ではドレン水までの距離が例えば１００ｍｍを切ったか否かを判断し、１００ｍｍを切った場合、すなわち満水または満水に近い状態の場合にはＨ出力し、１００ｍｍ以上ある場合にはＬ出力する。
【００１８】
ショーケースコントローラ７ではこのＨ出力またはＬ出力を受けて、コンパレータ１４で４．５Ｖ以下または以上として制御部１５に出力する。
【００１９】
このようにして複数ある水位センサ２０ａ、２０ｂ、２０ｃのうちのいずれか例えばドレン水受け４ａに設置されている水位センサ２０ａからＨ出力があった場合は、他の水位センサ２０ｂ、２０ｃからの出力をまたずに残りの全てのドレン水受け４ｂ、４ｃも満水またはこれに近いものと判断し報知水位に達したものとして、全てのドレン水受け４ａ、４ｂ、４ｃのドレン水を排水する。
【００２０】
これにより、水位センサ２０ａ、２０ｂ、２０ｃが複数設置されていても、このうちのひとつの水位センサからの出力のみで全てのドレン水受け４ａ、４ｂ、４ｃのドレン水を排水できるから、ショーケースコントローラ７の入力用のコネクターがひとつで足りる。
【００２１】
図２は第２実施形態を示し、基本形態は第１実施形態と同様であるが、水位センサ２０ａ、２０ｂ、２０ｃの制御部９からの距離数値出力の内容として、距離情報の他に、当該出力する水位センサ２０ａ、２０ｂ、２０ｃを特定するための例えばセンサ番号情報を含める。
【００２２】
そして、この距離数値出力を情報出力バッファ回路１６を介してショーケースコントローラ７に出力する。この情報出力バッファ回路１６は、出力先の送信線に他の水位センサからの信号が流れていないかを判断し、流れていない場合にのみ出力する。これにより、ショーケースコントローラ７の受信バッファ回路１７には常に必ずひとつの水位センサからの出力しか入力されないことになり、ショーケースコントローラ７の入力用のコネクターがひとつで足りる。
【００２３】
図４は第３実施形態を示し、複数のドレン水受け４ａ、４ｂ、４ｃを水位を均衡させるための流路２１で連結し、ショーケースの中央位置に配置された１つのドレン水受け４ｂのみに水位センサ２０を設け、この水位センサ２０で複数のドレン水受け４ａ、４ｂ、４ｃのドレン水総量を検出する。
【００２４】
この場合、設置される水位センサ２０がひとつであるからショーケースコントローラ７の入力用のコネクターもひとつで足りる。なお、水位センサ２０の設置位置をショーケースの中央に設定したのは、ショーケースが傾斜して設置された場合に、水位センサ２０がショーケースの端部に設置されると正確な水位が測定できなくなるおそれがあるためである。
【００２５】
図５は第４実施形態を示し、これは第４実施形態と同様に複数のドレン水受け４ａ、４ｂ、４ｃを水位を均衡させるための流路２１で連結し、さらに全てのドレン水受け４ａ、４ｂ、４ｃにそれぞれ水位センサ２０ａ、２０ｂ、２０ｃを設置した。
【００２６】
この場合の各水位センサ２０ａ、２０ｂ、２０ｃからのショーケースコントローラ７の出力方法は、第１、第２実施形態と同様に行うが、両端の水位センサ２０ａ、２０ｃで計測される水位の差を検出することで設置したショーケース機体の水平度を検出することも可能となる。
但し、図５では水位センサ２０は３個使用しドレン水受け４も３個使用しているが、水平検査としては、ドレン受けの数は制約ではなく、最小構成はドレン受け４は１つで水位センサ２０が２個でも可能である。
【００２７】
図６は水平度検知動作のフローチャートで、両側の水位センサ２０ａ、２０ｃでそれぞれ水面との距離を測定し（ステップ１）、両水位センサ２０ａ、２０ｃで測定された距離の差が５ｍｍ以内であれば（ステップ２）、ショーケースの機体の傾きは許容範囲内で正常に据付けられている判断する（ステップ３）。
【００２８】
これに対して、（ステップ２）で距離の差が５ｍｍ以上あればショーケース機体は傾いて据付けられていると判定され、その旨が報知される（ステップ４）。このようにして複数の水位センサを設けた場合は、これをショーケース機体据付けの水平度を検知する手段としても使用できる。
【００２９】
なお、前記実施形態は縦型の冷凍冷蔵オープンショーケースに実施した場合について説明したが、外観や形態によって限定されるものではなく、上面を開口に形成した平型の冷凍冷蔵ショーケースやクローズタイプであっても、冷凍専用、冷蔵専用のショーケースにも実施可能である。
また機能上同様であれば、ショーケースの名称に限定するものでもない。
【図面の簡単な説明】
【００３０】
【図１】本発明のショーケースのドレン水検知方法の第１実施形態を示す検知回路図である。
【図２】本発明のショーケースのドレン水検知方法の第２実施形態を示す検知動作のフローチャートである。
【図３】本発明のショーケースのドレン水検知方法の第１、第２実施形態が実施されるショーケースの正面図である。
【図４】本発明のショーケースのドレン水検知方法の第３実施形態が実施されるショーケースの正面図である。
【図５】本発明のショーケースのドレン水検知方法の第４実施形態が実施されるショーケースの正面図である。
【図６】本発明のドレン水検知方法が実施されるショーケースによる水平度検知動作を示すフローチャートである。
【図７】冷凍冷蔵ショーケースの一部斜視図である。
【符号の説明】
【００３１】
１  商品収納庫、２  凝縮器、３  機械室、４、４ａ、４ｂ、４ｃ  ドレン水受け、５  ファン、６  蒸発板、７  ショーケースコントローラ、８  満水警報ランプ、９  制御部、１０  超音波素子、１１  超音波発信回路、１２  超音波受信回路、１３  ＤＡ変換回路、１４  コンパレータ、１５  制御部、１６  情報出力バッファ回路、１７  受信バッファ回路、１８  陳列棚、１９  庫内底部
、２０、２０ａ、２０ｂ、２０ｃ  水位センサ、２１  流路。
【図１】
2007333286.tif 000003
【図２】
2007333286.tif 000004
【図３】
2007333286.tif 000005
【図４】
2007333286.tif 000006
【図５】
2007333286.tif 000007
【図６】
2007333286.tif 000008
【図７】
2007333286.tif 000009